(57)【要約】      （修正有）【課題】電池を薄型化することができ、さらに電極体の位置を安定に保持することができる非水電解質二次電池を提供する。【解決手段】正極電極および負極電極を含む電極体１５と、電極体１５を収容する外装缶１０とを備える。外装缶１０は、電極体１５の厚さ方向において電極体１５を挟んで対向して配置され、互いに接合される第１部材１１および第２部材１２を含み、外装缶１０は、電極体１５の厚さ方向における寸法が電極体１５の厚さよりも小さい部分を有する電極体規制領域１０Ｂを含む非水電解質二次電池１。【選択図】図４
2015130317.tif 000002
【特許請求の範囲】
【請求項１】
正極電極および負極電極を含む電極体と、
前記電極体の厚さ方向において前記電極体を挟んで対向して配置され、互いに接合されて前記電極体を収容する第１部材および第２部材を含む外装缶とを備え、
前記外装缶は、前記電極体の厚さ方向における寸法が前記電極体の厚さよりも小さい部分を有する電極体規制領域を含む、非水電解質二次電池。
【請求項２】
前記正極電極および前記負極電極の一方と電気的に接続され、前記電極体規制領域において前記第１部材の前記第２部材側と反対側の面に配置される第１端子をさらに備える、請求項１に記載の非水電解質二次電池。
【請求項３】
前記第１端子の極性は、前記外装缶の極性と反対極性である、請求項２に記載の非水電解質二次電池。
【請求項４】
前記第１端子が配置された部分の前記外装缶の厚さと、前記第１端子の前記外装缶から突出した部分の厚さとの和は、前記外装缶の最大の厚さ以下である、請求項２または３に記載の非水電解質二次電池。
【請求項５】
前記第１端子の周囲に配置された絶縁部材をさらに備える、請求項２〜４のいずれか一項に記載の非水電解質二次電池。
【請求項６】
前記正極電極および前記負極電極の他方と電気的に接続され、前記電極体規制領域において前記第１部材の前記第２部材側と反対側の面に配置される第２端子をさらに備える、請求項２〜５のいずれか一項に記載の非水電解質二次電池。
【請求項７】
前記電極体規制領域において前記第１部材の前記第２部材側と反対側の面に注液孔が形成され、前記第２端子は前記注液孔と重なる部分に配置される、請求項６に記載の非水電解質二次電池。
【請求項８】
前記第１部材は、
第１平面部と、
前記第１平面部よりも前記第２部材側に配置され、前記第１平面部と平行な第２平面部とを含み、
前記第２平面部は、前記電極体規制領域の外表面の一部である、請求項１〜７のいずれか一項に記載の非水電解質二次電池。
【請求項９】
前記第１部材は、
第１平面部と、
前記第１平面部に連続し、前記第２部材側に向かって傾斜する第２平面部とを含み、
前記第２平面部は、前記電極体規制領域の外表面の一部である、請求項１〜７のいずれか一項に記載の非水電解質二次電池。
【請求項１０】
前記第１部材は、前記第２部材側に向かって厚さ方向と垂直な寸法が大きくなる、請求項１〜９のいずれか一項に記載の非水電解質二次電池。
【請求項１１】
前記第１部材は、前記第２部材側に開口した箱状の形状である、請求項１〜１０のいずれか一項に記載の非水電解質二次電池。
【請求項１２】
前記第２部材は、前記第１部材側に開口した箱状の形状である、請求項１〜１１のいずれか一項に記載の非水電解質二次電池。
【発明の詳細な説明】
【技術分野】
【０００１】
本発明は、非水電解質二次電池に関する。
【背景技術】
【０００２】
従来、正極と負極とを含む電極体を外装缶に収容した非水電解質二次電池の構成が知られている。近年、薄型の携帯機器の普及に伴って、薄型の電池の需要が高まっている。
【０００３】
特許第３８８５３２７号公報には、電池缶内に電極素子と非水電解液とを備える非水電解液二次電池において、上記電池缶の最大開口部が、端子を有する電池蓋により密封されてなることを特徴とする非水電解液二次電池が開示されている。
【０００４】
特許第４１９１４３３号公報には、金属板を加工して凹部の開口周囲にフランジを設けた半殻体に電池ケースが形成され、凹部内に極板群を収容してフランジに周辺部を重ね合わせて配設された金属製の蓋板とフランジとの間がシーム溶接により接合されてなる電池が開示されている。
【先行技術文献】
【特許文献】
【０００５】
【特許文献１】特許第３８８５３２７号公報
【特許文献２】特許第４１９１４３３号公報
【発明の概要】
【発明が解決しようとする課題】
【０００６】
上記特許文献に記載された非水電解質二次電池では、電極体の電極と外部端子とを接続するための空間を、外装缶の内部に設ける必要がある。それに伴って、外装缶の内部で電極体の位置がずれる可能性がある。
【０００７】
本発明の目的は、電池を薄型化することができ、さらに電極体の位置を安定に保持することができる非水電解質二次電池の構成を得ることである。
【課題を解決するための手段】
【０００８】
本発明の一実施形態にかかる非水電解質二次電池は、正極電極および負極電極を含む電極体と、電極体を収容する外装缶とを備える。外装缶は、電極体の厚さ方向において電極体を挟んで対向して配置され、互いに接合される第１部材および第２部材を含む。外装缶は、電極体の厚さ方向における寸法が電極体の厚さよりも小さい部分を有する電極体規制領域を含む。
【０００９】
上記の構成によれば、外装缶は、厚さ方向の寸法が電極体の厚さよりも小さい部分を有する電極体規制領域を含んでいる。すなわち、電極体規制領域によって、電極体の位置を規制することができる。
【００１０】
また、外装缶は、電極体の厚さ方向において電極体を挟んで対向して配置され、互いに接合される。薄型の電池において、第１部材または第２部材を高さ方向や幅方向に開口させる場合と比較して、深絞り加工が不要になるため、加工が容易になる。そのため、電池をより薄型化することができる。
【発明の効果】
【００１１】
本発明によれば、電池を薄型化することができ、さらに電極体の位置を安定に保持することができる非水電解質二次電池の構成が得られる。
【図面の簡単な説明】
【００１２】
【図１】図１は、本発明の第１の実施形態にかかる非水電解質二次電池の概略構成を示す斜視図である。
【図２】図２は、本発明の第１の実施形態にかかる非水電解質二次電池の内部構成を模式的に示す分解斜視図である。
【図３】図３は、図１のＩＩＩ−ＩＩＩ線に沿った断面図である。
【図４】図４は、図１のＩＶ−ＩＶ線に沿った断面図である。
【図５】図５は、第１の実施形態の変形例の一つにかかる非水電解質二次電池の概略構成を示す斜視図である。
【図６】図６は、第１の実施形態の変形例の一つにかかる非水電解質二次電池の概略構成を示す斜視図である。
【図７】図７は、第１の実施形態の変形例の一つにかかる非水電解質二次電池の概略構成を示す斜視図である。
【図８】図８は、第１の実施形態の変形例の一つにかかる非水電解質二次電池の概略構成を示す斜視図である。
【図９】図９は、第１の実施形態の変形例の一つにかかる非水電解質二次電池の概略構成を示す斜視図である。
【図１０】図１０は、第１の実施形態の変形例の一つにかかる非水電解質二次電池の概略構成を示す斜視図である。
【図１１】図１１は、第１の実施形態の変形例の一つにかかる非水電解質二次電池の概略構成を示す斜視図である。
【図１２】図１２は、第１の実施形態の変形例の一つにかかる非水電解質二次電池の内部構成を模式的に示す分解斜視図である。
【図１３】図１３は、第１の実施形態の変形例の一つにかかる非水電解質二次電池の概略構成を示す斜視図である。
【図１４】図１４は、第１の実施形態の変形例の一つにかかる非水電解質二次電池の概略構成を示す斜視図である。
【図１５】図１５は、第１の実施形態の変形例の一つにかかる非水電解質二次電池の概略構成を示す斜視図である。
【図１６】図１６は、第１の実施形態の変形例の一つにかかる非水電解質二次電池の内部構成を模式的に示す分解斜視図である。
【図１７】図１７は、本発明の第２の実施形態にかかる非水電解質二次電池の概略構成を示す斜視図である。
【図１８】図１８は、本発明の第２の実施形態にかかる非水電解質二次電池の内部構成を模式的に示す分解斜視図である。
【図１９】図１９は、図１７のＸＩＸ−ＸＩＸ線に沿った断面図である。
【図２０】図２０は、本発明の第３の実施形態にかかる非水電解質二次電池の概略構成を示す斜視図である。
【図２１】図２１は、図２０のＸＸＩ−ＸＸＩ線に沿った断面図である。
【図２２】図２２は、第１の実施形態にかかる非水電解質二次電池の断面図である。
【図２３】図２３は、第３の実施形態の変形例にかかる非水電解質二次電池の断面図である。
【図２４】図２４は、第３の実施形態の他の変形例にかかる非水電解質二次電池の断面図である。
【図２５】図２５は、本発明の第４の実施形態にかかる非水電解質二次電池の概略構成を示す斜視図である。
【図２６】図２６は、本発明の第４の実施形態にかかる非水電解質二次電池の内部構成を模式的に示す分解斜視図である。
【図２７】図２７は、図２５のＸＸＶＩＩ−ＸＸＶＩＩ線に沿った断面図である。
【図２８】図２８は、本発明の第５の実施形態にかかる非水電解質二次電池の概略構成を示す斜視図である。
【図２９】図２９は、本発明の第５の実施形態にかかる非水電解質二次電池の内部構成を模式的に示す分解斜視図である。
【図３０】図３０は、図２８のＸＸＸ−ＸＸＸ線に沿った断面図である。
【発明を実施するための形態】
【００１３】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１４】
［第１の実施形態］
図１は、本発明の第１の実施形態にかかる非水電解質二次電池１の概略構成を示す斜視図である。図２は、非水電解質二次電池１の内部構成を模式的に示す分解斜視図である。非水電解質二次電池１は、外装缶１０、正極端子１３（図１）、負極端子１４（図１）、電極体１５（図２）、絶縁部材１６（図１）、および図示しない電解液を備えている。
【００１５】
ここで説明の便宜のため、外装缶１０の外形に沿って、図１に示すようにｘ方向、ｙ方向、ｚ方向を定める。以下では、ｘ方向を幅方向、ｙ方向を厚さ方向、ｚ方向を高さ方向と呼ぶ場合がある。非水電解質二次電池１は、厚さ方向の寸法が幅方向や高さ方向の寸法よりも小さい、扁平形状の電池である。
【００１６】
外装缶１０は、図２に示すように、内部に電極体１５を収容している。外装缶１０は、厚さ方向の一方に開口した箱状の第１部材１１と、平板状の第２部材１２とから構成されている。第１部材１１と第２部材１２とは、電極体１５の厚さ方向において、電極体１５を挟んで対向して配置される。第２部材１２は、第１部材１１の開口部を覆って配置されている。第１部材１１と第２部材１２とは、例えばシーム溶接によって接合される。
【００１７】
第１部材１１および第２部材１２は、例えば、アルミニウムまたはアルミニウム合金によって形成されている。
【００１８】
第１部材１１は、より詳しくは、概略平板状の平面部１１１と、平面部１１１の周囲を囲んで形成される周壁部１１２とを含んでいる。図１に示すように、平面部１１１はさらに、平面部１１１１と、平面部１１１１よりも開口側に配置され、平面部１１１１と平行に形成された平面部１１１２とを含んでいる。
【００１９】
正極端子１３および負極端子１４は、平面部１１１２に配置されている。詳しい構成は後述するが、正極端子１３は外装缶１０と電気的に導通しており、負極端子１４は外装缶１０と電気的に絶縁されている。
【００２０】
電極体１５は、帯状の正極電極と、帯状の負極電極とを、セパレータを間に挟んで捲回し、厚さ方向に圧縮して扁平形状にしたものである。正極電極には正極リードタブ１５１が接続されており、負極電極には負極リードタブ１５２が接続されている。
【００２１】
正極電極、負極電極、セパレータ、および電解液は特に限定されないが、例示すれば次の様なものである。
【００２２】
正極電極は、帯状の正極集電体の片面または両面に正極合剤層が形成されたものである。正極集電体は、例えば、アルミニウムまたはチタン等の箔、平織金網、エキスパンドメタル、ラス網、またはパンチングメタル等によって形成される。
【００２３】
正極合剤層は、正極活物質と、導電助剤と、バインダとを混合して形成される。正極活物質として、マンガン酸リチウム、リチウムニッケル複合酸化物、リチウムコバルト複合酸化物、リチウムニッケルコバルト複合酸化物、酸化バナジウム、または酸化モリブデン等を用いることができる。導電助剤として、黒鉛、カーボンブラック、またはアセチレンブラック等を用いることができる。バインダとして、ポリイミド、ポリアミドイミド、ポリテトラフルオロエチレン（ＰＴＦＥ）、およびポリフッ化ビニリデン（ＰＶＤＦ）等を、単独または混合して用いることができる。
【００２４】
負極電極は、帯状の負極集電体の片面または両面に負極合剤層が形成されたものである。負極集電体は、例えば、銅、ニッケル、またはステンレス等の箔、平織金網、エキスパンドメタル、ラス網、またはパンチングメタル等によって形成される。
【００２５】
負極合剤層は、負極活物質と、バインダとを混合して形成される。負極活物質として、天然黒鉛、メソフェーズカーボン、または非晶質カーボン等を用いることができる。バインダとして、カルボキシメチルセルロース（ＣＭＣ）およびヒドロキシプロピルセルロース（ＨＰＣ）等のセルロース、スチレンブタジエンゴム（ＳＢＲ）、アクリルゴム等のゴムバインダ、ＰＴＦＥ、ならびにＰＶＤＦ等を、単独または混合して用いることができる。
【００２６】
セパレータは、例えばポリプロピレン（ＰＰ）、ポリエチレン（ＰＥ）、ポリエチレンテレフタレート（ＰＥＴ）、ポリブチレンテレフタレート（ＰＢＴ）、またはポリフェニルサルフィド（ＰＰＳ）等の、多孔性フィルムまたは不織布によって形成される。
【００２７】
電解液は、有機溶媒にリチウム塩を溶解させた溶液である。有機溶媒として、ビニレンカーボネート（ＶＣ）、プロピレンカーボネート（ＰＣ）、エチレンカーボネート（ＥＣ）、ブチレンカーボネート（ＢＣ）、ジメチルカーボネート（ＤＭＣ）、ジエチルカーボネート（ＤＥＣ）、メチルエチルカーボネート（ＭＥＣ）、またはγ‐ブチロラクトン等を、単独でまたは２種類以上を混合して用いることができる。リチウム塩として、ＬｉＰＦ６、ＬｉＢＦ４、またはＬｉＮ（ＣＦ３ＳＯ２）２等を用いることができる。
【００２８】
図３は、図１のＩＩＩ−ＩＩＩ線に沿った断面図である。図３に示すように、第１部材１１には、貫通孔１１１２ａおよび貫通孔１１１２ｂが形成されている。
【００２９】
正極端子１３は、第１材質層１３１と、第２材質層１３２とを含んでいる。第１材質層１３１はさらに、平面部１３１Ａと、ボス部１３１Ｂとを含んでいる。正極端子１３は、ボス部１３１Ｂが貫通孔１１１２ａに圧入され、さらに平面部１３１Ａの周縁と外装缶１０（第１部材１１）とが溶接されることによって、外装缶１０に固定されている。
【００３０】
正極端子１３は例えば、第１材質層１３１と第２材質層１３２とが圧接されたクラッド材である。正極端子１３は例えば、第１材質層１３１がアルミニウムまたはアルミニウム合金で形成され、第２材質層１３２がニッケルまたはニッケル合金で形成される。
【００３１】
正極リードタブ１５１は、外装缶１０に溶接されている。この構成によって、電極体１５（図２）の正極電極と正極端子１３とが、外装缶１０を介して電気的に接続されている。
【００３２】
負極端子１４は、平面部１４Ａと、ボス部１４Ｂとを含んでいる。負極端子１４の周りには、ガスケット１４１、絶縁板１４２、および押さえ板１４３が配置されている。図３に示すように、負極端子１４のボス部１４Ｂは、ガスケット１４１を間に挟んで貫通孔１１１２ｂに挿入されている。負極端子１４は、ボス部１４Ｂの先端を押さえ板１４３に形成された穴１４３ａに挿入した後、ボス部１４Ｂの先端をかしめることによって、押さえ板１４３と固定されている。押さえ板１４３と外装缶１０との間には絶縁板１４２が配置され、押さえ板１４３と外装缶１０とを絶縁している。
【００３３】
負極端子１４は例えば、銅またはニッケルメッキされた銅によって形成されている。押さえ板１４３は例えば、銅によって形成されている。ガスケット１４１および絶縁板１４２は例えば、樹脂の成形品である。
【００３４】
負極リードタブ１５２は、押さえ板１４３に溶接されている。この構成によって、電極体１５（図２）の負極電極と負極端子１４とが、押さえ板１４３を介して電気的に接続されている。
【００３５】
図４は、図１のＩＶ−ＩＶ線に沿った断面図である。図４に示すように、外装缶１０は、電極体１５を収容する電極体収容領域１０Ａと、電極体規制領域１０Ｂとを含んでいる。より詳しくは、平面部１１１１と接する領域が電極体収容領域１０Ａであり、平面部１１１２と接する領域が電極体規制領域１０Ｂである。換言すれば、平面部１１１１は電極体収容領域１０Ａの外表面の一部を形成し、平面部１１１２は電極体規制領域１０Ｂの外表面の一部を形成している。
【００３６】
図４に示すように、電極体規制領域１０Ｂにおける外装缶１０の厚さ方向の寸法ｔ１は、電極体１５の厚さｔｅよりも小さい。なお、寸法ｔ１は、より詳しくは第１部材１１の内表面と第２部材１２の内表面との間の距離、すなわち外装缶１０の内寸である。
【００３７】
負極端子１４が配置された部分の外装缶１０の厚さと、負極端子１４が外装缶１０から突出した部分の厚さの和ｔ２は、外装缶１０の最大の厚さｔ３以下である。なお、図示は省略するが、正極端子１３が配置された部分の外装缶１０の厚さと、正極端子１３が外装缶１０から突出した部分の厚さの和も同様に、外装缶１０の最大の厚さｔ３以下である。
【００３８】
［非水電解質二次電池１の製造方法］
以下、非水電解質二次電池１の製造方法の一例を説明する。
【００３９】
まず、電極体１５を準備する。電極体１５の製造方法は特に限定されないが、例示すれば次の様なものである。
【００４０】
正極活物質、導電助剤、およびバインダを、純水または有機溶媒中で十分に混合し、分散体を作製する。分散体を、ダイコータ、スリットコータ、ディップコータ等を用いて、正極集電体の片面または両面に塗布する。塗布後、分散体を乾燥し、カレンダ処理によって厚さおよび密度を調整する。これによって、正極電極が得られる。正極電極に、溶接または導電性接着材によって正極リードタブ１５１を取り付ける。
【００４１】
負極活物質、およびバインダを、純水または有機溶媒中で十分に混合し、分散体を作製する。分散体を、ダイコータ、スリットコータ、ディップコータ等を用いて、負極集電体の片面または両面に塗布する。塗布後、分散体を乾燥し、カレンダ処理によって厚さおよび密度を調整する。これによって、負極電極が得られる。負極電極に、溶接または導電性接着材によって負極リードタブ１５２を取り付ける。
【００４２】
正極電極、負極電極、およびセパレータを、断面形状が円形、楕円形、または菱形の巻き芯を用いて捲回した後、巻き芯を抜き、一方向に圧力をかけて偏平形状にする。あるいは、正極電極、負極電極、およびセパレータを、断面形状が扁平形状の巻き芯を用いて捲回して、扁平形状の捲回体としても良い。これによって、電極体１５が得られる。
【００４３】
次に、第１部材１１、第２部材１２、負極端子１４、ガスケット１４１、絶縁板１４２、および押さえ板１４３を準備する。第１部材１１に、負極端子１４、ガスケット１４１、絶縁板１４２、押さえ板１４３を組み付ける。
【００４４】
第１部材１１の周壁部１１２の内側に電極体１５を配置する。正極リードタブ１５１と第１部材１１とを溶接し、負極リードタブ１５２と押さえ板１４３とを溶接する。第１部材１１の開口を覆って第２部材１２を配置し、第１部材１１と第２部材１２とをシーム溶接する。
【００４５】
次に、貫通孔１１１２ａから電解液を注液する。すなわち、貫通孔１１１２ａは、ボス部１３１Ｂと嵌合することによって正極端子１３を位置決めするとともに、電解液の注液孔としての機能を兼ねている。また、正極端子１３は、注液孔の封止栓としての機能を兼ねている。
【００４６】
貫通孔１１１２ａを開放したまま、必要に応じて予備充電を行う。その後、貫通孔１１１２ａに正極端子１３のボス部１３１Ｂを圧入し、さらに平面部１３１Ａと第１部材１１とを溶接する。これによって、正極端子１３が外装缶１０に固定されるとともに、貫通孔１１１２ａが封止される。
【００４７】
その後、所定の容量まで充電することによって、非水電解質二次電池１が製造される。
【００４８】
［非水電解質二次電池１の効果］
本実施形態によれば、外装缶１０は、厚さ方向の寸法が電極体１５の厚さｔｅよりも小さい部分を有する電極体規制領域１０Ｂを含んでいる。この構成によれば、電極体規制領域１０Ｂによって、電極体１５の位置を規制することができる。
【００４９】
そのため、電極体１５を固定しておくためのスペーサ等の部品を省略することができる。ただし、本実施形態は、外装缶１０の内部にスペーサ等を配置することを排除するものではない。すなわち、非水電解質二次電池１は、電極体１５を固定しておくためのスペーサ等の部品を備えていても良い。
【００５０】
本実施形態によれば、外装缶１０は、電極体１５の厚さ方向において電極体１５を挟んで対向して配置され、互いに接合される第１部材１１および第２部材１２を含んでいる。この構成によれば、幅方向および高さ方向の寸法の大きい大型の電池や、あるいは幅方向および高さ方向の寸法に対して厚さが薄い薄型の電池の製造が容易になる。すなわち、第１部材１１または第２部材１２を高さ方向や幅方向に開口させる場合と比較して、深絞り加工が不要になるため、加工が容易になる。そのため、従来よりも大面積の電池や、従来よりも薄型の電池を製造することができる。
【００５１】
本実施形態によれば、負極端子１４は、第１部材１１の平面部１１１２に形成される。換言すれば、負極端子１４は、電極体規制領域１０Ｂにおいて第１部材１１の第２部材１２側と反対側の面に配置される。負極端子１４を第1部材１１の第２部材１２側と反対側の面、すなわち、厚さ方向と交差する面に配置することで、非水電解質二次電池１の厚さが薄い場合であっても、負極端子１４の面積を確保することができる。また、負極端子１４を電極体規制領域１０Ｂに形成することによって、非水電解質二次電池１をコンパクトにすることができる。
【００５２】
本実施形態によれば、負極端子１４が配置された部分の外装缶１０の厚さと、負極端子１４が外装缶１０から突出した部分の厚さの和ｔ２は、外装缶１０の最大の厚さｔ３以下である。この構成によれば、負極端子１４が外装缶１０の電極体収容領域１０Ａの外表面から突出しない。これによって、非水電解質二次電池１をよりコンパクトにできる。また、外装缶１０と負極端子１４とが不意に短絡するのを抑制することができる。
【００５３】
負極端子１４の周囲には、絶縁部材１６が配置されている。この構成によれば、外装缶１０と負極端子１４とが不意に短絡するのを抑制することができる。
【００５４】
正極端子１３についても同様に、第1部材１１の第２部材１２側と反対側の面、すなわち厚さ方向と交差する面に配置することで、非水電解質二次電池１の厚さが薄い場合であっても、正極端子１３の面積を確保することができる。また、正極端子１３を電極体規制領域１０Ｂに形成することによって、非水電解質二次電池１をコンパクトにすることができる。
【００５５】
本実施形態によれば、貫通孔１１１２ａは、ボス部１３１Ｂと嵌合することによって正極端子１３を位置決めする機能を有するとともに、電解液を注液するための注液孔としての機能も有している。また、正極端子１３は、注液孔の封止栓の機能を兼ねている。この構成によれば、外装缶１０の他の箇所に設けた注液孔を封止栓によって封止する場合と比較して、工程および部品数を削減することができる。
【００５６】
［第１の実施形態の変形例］
以下、図５〜図１６を参照して、非水電解質二次電池１の変形例を説明する。
【００５７】
図５は、非水電解質二次電池１の変形例の一つである非水電解質二次電池１Ａの概略構成を示す斜視図である。非水電解質二次電池１Ａでは、正極端子１３は、第１部材１１の幅方向と垂直な面（周壁部１１２）に配置されている。非水電解質二次電池１Ａにおいても、正極端子１３は、電解液の注液孔の封止栓を兼ねている。
【００５８】
本変形例においても、第１部材１１は、平面部１１１１と、平面部１１１１よりも開口側に配置された平面部１１１２とを含んでいる。本変形例によっても、電極体１５の位置を規制することができる。この変形例のように、電池を装着する機器の構成に合わせて端子位置を変えても良い。
【００５９】
図６は、非水電解質二次電池１の変形例の一つである非水電解質二次電池１Ｂの概略構成を示す斜視図である。非水電解質二次電池１Ｂでは、正極端子１３は、第１部材１１の高さ方向と垂直な面に配置されている。非水電解質二次電池１Ｂにおいても、正極端子１３は、電解液の注液孔の封止栓を兼ねている。
【００６０】
非水電解質二次電池１Ｂは、非水電解質二次電池１の平面部１１１に代えて、平面部１１４を備えている。平面部１１４は、平面部１１１と同様に、平面部１１４１と、平面部１１４１よりも開口側に配置された平面部１１４２とを含んでいる。非水電解質二次電池１（図１）では平面部１１１２が第１部材１１の幅方向全体に形成されているのに対し、本変形例では、平面部１１４２は第１部材１１の幅方向の一部にだけ形成されている。本変形例によっても、電極体１５の位置を規制することができる。また、この変形例によれば、非水電解質二次電池１に比べて外装缶の内容積を増やすことができる。そのため、例えば電解液をより多く注液できる。
【００６１】
図７は、非水電解質二次電池１の変形例の一つである非水電解質二次電池１Ｃの概略構成を示す斜視図である。非水電解質二次電池１Ｃでは、第１部材１１の高さ方向と垂直な面に注液孔１１２ａが形成されている。注液孔１１２ａは、注液孔１１２ａに挿入された封止栓１７によって封止されている。
【００６２】
非水電解質二次電池１Ｃは、非水電解質二次電池１の平面部１１１に代えて、平面部１１５を備えている。平面部１１５は、平面部１１１と同様に、平面部１１５１と、平面部１１５１よりも開口側に配置された平面部１１５２とを含んでいる。本変形例では、平面部１１５２は第１部材１１の幅方向の一部に形成されている。より具体的には、平面部１１５２は第１部材１１の幅方向の両端部近傍に形成されている。本変形例によっても、電極体１５の位置を規制することができる。また、この変形例によれば、非水電解質二次電池１に比べて外装缶の内容積を増やすことができる。そのため、例えば電解液をより多く注液できる。
【００６３】
図８は、非水電解質二次電池１の変形例の一つである非水電解質二次電池１Ｄの概略構成を示す斜視図である。非水電解質二次電池１Ｄでは、正極端子１３は、第１部材１１の高さ方向と垂直な面であって、平面部１１１１に近い側の面に配置されている。本変形例では、電解液の注液孔である貫通孔１１１２ａは、封止栓１７によって封止されている。
【００６４】
本変形例においても、第１部材１１は、平面部１１１１と、平面部１１１１よりも開口側に配置された平面部１１１２とを含んでいる。本変形例によっても、電極体１５の位置を規制することができる。この変形例のように、電池を装着する機器の構成に合わせて端子位置を変えても良い。
【００６５】
図９は、非水電解質二次電池１の変形例の一つである非水電解質二次電池１Ｅの概略構成を示す斜視図である。非水電解質二次電池１Ｅでは、正極端子１３は、第１部材１１の高さ方向と垂直な面であって、平面部１１１２に近い側の面に配置されている。それ以外の構成は、非水電解質二次電池１Ｄと同じである。本変形例によっても、電極体１５の位置を規制することができる。この変形例のように、電池を装着する機器の構成に合わせて端子位置を変えても良い。
【００６６】
図１０は、非水電解質二次電池１の変形例の一つである非水電解質二次電池１Ｆの概略構成を示す斜視図である。非水電解質二次電池１Ｆは、第１部材１１の高さ方向と垂直な面（周壁部１１２）に注液孔１１２ａが形成されている。注液孔１１２ａは、注液孔１１２ａに挿入された封止栓１７によって封止されている。すなわち、非水電解質二次電池１の場合は正極端子１３が電解液の注液孔の封止栓を兼ねているのに対し、非水電解質二次電池１Ｆでは、電解液の注液孔１１２ａと封止栓１７とが独立して設けられている。この変形例によれば、注液孔１１２ａが厚さ方向と垂直に設けられているため、電解液を電極体１５に浸透させやすくできる。
【００６７】
以下に説明する非水電解質二次電池１Ｇ〜１Ｌのように、第１部材１０は、任意の形状を取り得る。従来の非水電解質二次電池に用いられてきた外装缶は、高さ方向に深絞り加工されて製造されるため、高さ方向に沿って幅が変化する形状に成形することは困難であった。一方、本実施形態によれば、比較的容易に、様々な平面形状に加工することができる。これによって、電池を装着する機器の形状に合わせて、外装缶の形状を設計することができる。例えば、機器の突起などとの干渉を避けるための逃げを外装缶に設けることができる。
【００６８】
図１１は、非水電解質二次電池１の変形例の一つである非水電解質二次電池１Ｇの概略構成を示す斜視図である。図１２は、非水電解質二次電池１Ｇの内部構成を模式的に示す分解斜視図である。非水電解質二次電池１Ｇは、外装缶１０に代えて、外装缶１０Ｇを備えている。外装缶１０Ｇも、厚さ方向の一方に開口した箱状の第１部材１１Ｇと、第１部材１１Ｇの開口を封口する平板状の第２部材１２Ｇとから構成されている。
【００６９】
外装缶１０Ｇは、平面視において概略六角形の形状を有している。より具体的には、外装缶１０Ｇは、幅が概略一定の部分と、高さ方向の下端付近において高さ方向に沿って幅が狭くなる部分とを有している。
【００７０】
第１部材１１Ｇは、概略平板状の平面部１１Ｇ１と、平面部１１Ｇ１の周囲を囲んで形成される周壁部１１Ｇ２とを含んでいる。平面部１１Ｇ１はさらに、平面部１１Ｇ１１と、平面部１１Ｇ１１よりも開口側に配置され、平面部１１Ｇ１１と平行に形成された平面部１１Ｇ１２とを含んでいる。この変形例では、平面部１１Ｇ１１と接する領域が電極体収容領域となり、平面部１１Ｇ１２と接する領域が電極体規制領域となる。この変形例によっても、電極体１５の位置を規制することができる。
【００７１】
この変形例によれば、第１部材１１Ｇと第２部材１２Ｇとの溶接個所から、電極体１５を遠ざけることができる。そのため、電極体１５が溶接時に受ける熱の影響を低減できる。また、電解液をより多く注液できる。
【００７２】
図１３は、非水電解質二次電池１の変形例の一つである非水電解質二次電池１Ｊの概略構成を示す斜視図である。非水電解質二次電池１Ｊは、外装缶１０に代えて、外装缶１０Ｊを備えている。外装缶１０Ｊも、厚さ方向の一方に開口した箱状の第１部材１１Ｊと、第１部材１１Ｊの開口を封口する平板状の第２部材１２Ｊとから構成されている。
【００７３】
外装缶１０Ｊは、平面視において概略六角形の形状を有している。より具体的には、外装缶１０Ｊは、平面視において四角形の四隅の一つが切り取られた形状を有している。
【００７４】
第１部材１１Ｊは、概略平板状の平面部１１Ｊ１と、平面部１１Ｊ１の周囲を囲んで形成される周壁部１１Ｊ２とを含んでいる。平面部１１Ｊ１はさらに、平面部１１Ｊ１１と、平面部１１Ｊ１１よりも第２部材１２Ｊ側に配置され、平面部１１Ｊ１１と平行に形成された平面部１１Ｊ１２とを含んでいる。図１３に示すように、平面部１１Ｊ１２の幅は、平面部１１Ｊ１１の幅よりも狭くなっている。この変形例では、平面部１１Ｊ１１と接する領域が電極体収容領域となり、平面部１１Ｊ１２と接する領域が電極体規制領域となる。この変形例によっても、電極体１５の位置を規制することができる。
【００７５】
図１４は、非水電解質二次電池１の変形例の一つである非水電解質二次電池１Ｋの概略構成を示す斜視図である。非水電解質二次電池１Ｋは、外装缶１０に代えて、外装缶１０Ｋを備えている。外装缶１０Ｋも、厚さ方向の一方に開口した箱状の第１部材１１Ｋと、第１部材１１Ｋの開口を封口する平板状の第２部材１２Ｋとから構成されている。
【００７６】
外装缶１０Ｋは、平面視において概略五角形の形状を有している。より具体的には、外装缶１１Ｋは、平面視において四角形の四隅の一つが斜めに切り取られた形状を有している。
【００７７】
第１部材１１Ｋは、概略平板状の平面部１１Ｋ１と、平面部１１Ｋ１の周囲を囲んで形成される周壁部１１Ｋ２とを含んでいる。平面部１１Ｋ１はさらに、平面部１１Ｋ１１と、平面部１１Ｋ１１よりも第２部材１２Ｋ側に配置され、平面部１１Ｋ１１と平行に形成された平面部１１Ｋ１２とを含んでいる。図１４に示すように、平面部１１Ｋ１１の幅は概略一定であるのに対し、平面部１１Ｋ１２の幅は高さ方向に沿って変化している。この変形例では、平面部１１Ｋ１１と接する領域が電極体収容領域となり、平面部１１Ｋ１２と接する領域が電極体規制領域となる。この変形例によっても、電極体１５の位置を規制することができる。
【００７８】
図１５は、非水電解質二次電池１の変形例の一つである非水電解質二次電池１Ｌの概略構成を示す斜視図である。図１６は、非水電解質二次電池１Ｌの内部構成を模式的に示す分解斜視図である。非水電解質二次電池１Ｌは、外装缶１０に代えて、外装缶１０Ｌを備えている。外装缶１０Ｌも、厚さ方向の一方に開口した箱状の第１部材１１Ｌと、第１部材１１Ｌの開口を封口する平板状の第２部材１２Ｌとから構成されている。
【００７９】
外装缶１０Ｌは、平面視において概略六角形の形状を有している。より具体的には、外装缶１０Ｌは、平面視において四角形の四隅の一つが切り取られた形状を有している。
【００８０】
第１部材１１Ｌは、概略平板状の平面部１１Ｌ１と、平面部１１Ｌ１の周囲を囲んで形成される周壁部１１Ｌ２とを含んでいる。非水電解質二次電池１Ｌでは、正極端子１３は、第１部材１１Ｌの高さ方向と垂直な面（周壁部１１Ｌ２）に配置されている。非水電解質二次電池１Ｌの正極端子１３は、非水電解質二次電池１の場合と同様に、電解液の注液孔の封止栓を兼ねている。
【００８１】
平面部１１Ｌ１はさらに、平面部１１Ｌ１１と、平面部１１Ｌ１１よりも第２部材１２Ｌ側に配置され、平面部１１Ｌ１１と平行に形成された平面部１１Ｌ１２とを含んでいる。この変形例では、平面部１１Ｌ１１と接する領域が電極体収容領域となり、平面部１１Ｌ１２と接する領域が電極体規制領域となる。この変形例によっても、電極体１５の位置を規制することができる。
【００８２】
図１６に示すように、非水電解質二次電池１Ｌは、電極体１５に代えて、電極体１５Ｌを備えている。電極体１５Ｌは、電極体１５と同様に、正極電極、負極電極、セパレータ、および負極リードタブ１５２を備えている。一方、電極体１５Ｌは、正極リードタブを備えていない。非水電解質二次電池１Ｌでは、電極体１５Ｌの正極電極と外装缶１０Ｌとを、直接導通させている。すなわち、電極体１５ではセパレータが最外周に配置されているのに対し、電極体１５Ｌでは、正極電極が最外周に配置されている。
【００８３】
この変形例によれば、正極リードタブを溶接する工程を省略できる。そのため、製造工程を簡略化することができる。
【００８４】
［第２の実施形態］
図１７は、本発明の第２の実施形態にかかる非水電解質二次電池２の概略構成を示す斜視図である。図１８は、非水電解質二次電池２の内部構成を模式的に示す分解斜視図である。非水電解質二次電池２は、非水電解質二次電池１と比較して、外装缶の構成が異なっている。非水電解質二次電池２は、非水電解質二次電池１の外装缶１０に代えて、外装缶２０を備えている。また、非水電解質二次電池２は、内部絶縁部材２８をさらに備えている。内部絶縁部材２８は、外装缶２０の内部で負極リードタブ１５２と第２部材２２とが短絡するのを防止する。
【００８５】
外装缶２０は、外装缶１０と同様に、厚さ方向の一方に開口した箱状の第１部材２１と、第１部材２１の開口を封口する平板状の第２部材２２とから構成されている。第１部材２１と第２部材２２とは、例えばシーム溶接によって接合される。
【００８６】
第１部材２１は、より詳しくは、概略平板状の平面部２１１と、平面部２１１の周囲を囲んで形成される周壁部２１２とを含んでいる。図１７に示すように、平面部２１１はさらに、平面部２１１１と、第２部材２２側に向かって傾斜する平面部２１１２とを含んでいる。
【００８７】
図１９は、図１７のＸＩＸ−ＸＩＸ線に沿った断面図である。図１９に示すように、外装缶２０は、電極体１５を収容する電極体収容領域２０Ａと、電極体規制領域２０Ｂとを含んでいる。より詳しくは、平面部２１１１と接する領域が電極体収容領域２０Ａであり、平面部２１１２と接する領域が電極体規制領域２０Ｂである。換言すれば、平面部２１１１は電極体収容領域２０Ａの外表面の一部を形成し、平面部２１１２は電極体規制領域２０Ｂの外表面の一部を形成している。
【００８８】
図１９に示すように、電極体規制領域２０Ｂは、第１部材２１の厚さ方向の寸法が電極体１５の厚さｔｅよりも小さい部分を有する。本実施形態の構成によっても、電極体規制領域２０Ｂによって、電極体１５の位置を規制することができる。
【００８９】
本実施形態においても、負極端子１４が配置された部分の外装缶２０の厚さと、負極端子１４が外装缶２０から突出した部分の厚さの和ｔ４は、外装缶２０の最大の厚さｔ５以下である。この構成によれば、負極端子１４が外装缶２０の電極体収容領域２０Ａの外表面から突出しない。これによって、非水電解質二次電池２をよりコンパクトにできる。また、外装缶２０と負極端子１４とが不意に短絡するのを抑制することができる。
【００９０】
図示は省略するが、正極端子１３が配置された部分の外装缶２０の厚さと、正極端子１３が外装缶２０から突出した部分の厚さの和も同様に、外装缶２０の最大の厚さｔ５以下である。これによって、非水電解質二次電池２をコンパクトにすることができる。
【００９１】
［第３の実施形態］
図２０は、本発明の第３の実施形態にかかる非水電解質二次電池３の概略構成を示す斜視図である。非水電解質二次電池３は、非水電解質二次電池１と比較して、外装缶の構成が異なっている。非水電解質二次電池３は、非水電解質二次電池１の外装缶１０に代えて、外装缶３０を備えている。
【００９２】
外装缶３０は、外装缶１０と同様に、厚さ方向の一方に開口した箱状の第１部材３１と、第１部材３１の開口を封口する平板状の第２部材３２とから構成されている。第１部材３１と第２部材３２とは、例えばシーム溶接によって接合される。
【００９３】
第１部材３１は、より詳しくは、概略平板状の平面部３１１と、平面部３１１の周囲を囲んで形成される周壁部３１２とを含んでいる。平面部３１１はさらに、平面部３１１１と、平面部３１１１よりも開口側に配置され、平面部３１１１と平行に形成された平面部３１１２とを含んでいる。この構成によって、外装缶３０は、第１の実施形態における外装缶１０と同様に、電極体収容領域と電極体規制領域とを含む。したがって、本実施形態によっても、電極体１５の位置を規制することができる。
【００９４】
図２１は、図２０のＸＸＩ−ＸＸＩ線に沿った断面図である。図２１に示すように、第１部材３１は、幅方向の寸法が第２部材３２側に向かって大きくなっている。
【００９５】
図２２は、比較のために示す非水電解質二次電池１の断面図である。図２１と図２２とを比較すれば明らかなように、本実施形態の構成によれば、第１部材３１と第２部材３２との溶接個所Ｗを、電極体１５から遠ざけることができる。これによって、電極体１５への溶接時の熱の影響を低減することができる。
【００９６】
なお、第１部材３１は、幅方向の寸法だけではなく、高さ方向の寸法も開口側に向かって大きくなっている。これによって、溶接個所である第２部材３２の端辺のすべてを、電極体１５から遠ざけることができる。そのため、電極体１５への溶接時の熱の影響をより低減することができる。
【００９７】
第１部材３１は、第２部材３２側の端辺の少なくとも一つが電極体１５から遠ざかるように形成されていれば、非水電解質二次電池１と比較して有利な効果が得られる。例えば、図２１では第１部材３１の幅方向両側の周壁部３１２が幅方向の外側に向かって傾斜しているが、第１部材３１の幅方向の一方側の周壁部３１２だけが幅方向の外側に向かって傾斜していても良い。
【００９８】
また、図２３および図２４に示すように、周壁部３１２は湾曲していても良い。
【００９９】
［第４の実施形態］
図２５は、本発明の第４の実施形態にかかる非水電解質二次電池４の概略構成を示す斜視図である。図２６は、非水電解質二次電池４の内部構成を模式的に示す分解斜視図である。非水電解質二次電池４は、非水電解質二次電池１の外装缶１０に代えて、外装缶４０を備えている。
【０１００】
外装缶４０は、外装缶１０と同様に、電極体１５の厚さ方向において電極体１５を挟んで対向して配置される第１部材４１および第２部材４２から構成されている。本実施形態においても、第１部材４１と第２部材４２とは、例えばシーム溶接によって接合される。
【０１０１】
一方、外装缶４０では、第２部材４２が厚さ方向の一方に開口した箱状の形状であり、第１部材４１が概略平板形状である。すなわち、第２部材４２は、概略平板形状の平面部４２１と、平面部４２１の周囲を囲んで形成される周壁部４２２とを含んでいる。第１部材４１は、平面部４１１１と、平面部４１１１よりも第２部材４２側に配置され、平面部４１１１と平行に形成された平面部４１１２とを含んでいる。
【０１０２】
図２７は、図２５のＸＸＶＩＩ−ＸＸＶＩＩ線に沿った断面図である。図２７に示すように、外装缶４０は、外装缶１０と同様に、電極体１５を収容する電極体収容領域４０Ａと、電極体規制領域４０Ｂとを含んでいる。より詳しくは、平面部４１１１と接する領域が電極体収容領域４０Ａであり、平面部４１１２と接する領域が電極体規制領域４０Ｂである。換言すれば、平面部４１１１は電極体収容領域４０Ａの外表面の一部を形成し、平面部４１１２は電極体規制領域４０Ｂの外表面の一部を形成している。
【０１０３】
本実施形態においても、電極体規制領域４０Ｂにおける外装缶４０の厚さ方向の寸法ｔ６は、電極体１５の厚さｔｅよりも小さい。なお、寸法ｔ６は、より詳しくは第１部材４１の内表面と第２部材４２の内表面との間の距離、すなわち外装缶４０の内寸である。
【０１０４】
本実施形態においても、電極体規制領域４０Ｂによって、電極体１５の位置を規制することができる。
【０１０５】
［第５の実施形態］
図２８は、本発明の第５の実施形態にかかる非水電解質二次電池５の概略構成を示す斜視図である。図２９は、非水電解質二次電池５の内部構成を模式的に示す分解斜視図である。非水電解質二次電池５は、非水電解質二次電池１の外装缶１０に代えて、外装缶５０を備えている。
【０１０６】
外装缶５０は、外装缶１０と同様に、電極体１５の厚さ方向において電極体１５を挟んで対向して配置される第１部材５１および第２部材５２から構成されている。本実施形態においても、第１部材５１と第２部材５２とは、例えばシーム溶接によって接合される。
【０１０７】
一方、外装缶５０では、第１部材５１および第２部材５２の両方が厚さ方向の一方に開口した箱状の形状である。すなわち、第１部材５１は、平面部５１１と、平面部５１１の周囲を囲んで形成される周壁部５１２とを含んでいる。第２部材５２は、概略平板形状の平面部５２１と、平面部５２１の周囲を囲んで形成される周壁部５２２とを含んでいる。本実施形態では、第１部材５１の周壁部５１２と第２部材５２の周壁部５２２の接合部が、外装缶５０の厚さ方向のほぼ中央部となる。
【０１０８】
平面部５１１は、平面部５１１１と、平面部５１１１よりも第２部材５２側に配置され、平面部５１１１と平行に形成された平面部５１１２とを含んでいる。
【０１０９】
図３０は、図２８のＸＸＸ−ＸＸＸ線に沿った断面図である。図３０に示すように、外装缶５０は、外装缶１０と同様に、電極体１５を収容する電極体収容領域５０Ａと、電極体規制領域５０Ｂとを含んでいる。より詳しくは、平面部５１１１と接する領域が電極体収容領域５０Ａであり、平面部５１１２と接する領域が電極体規制領域５０Ｂである。換言すれば、平面部５１１１は電極体収容領域５０Ａの外表面の一部を形成し、平面部５１１２は電極体規制領域５０Ｂの外表面の一部を形成している。
【０１１０】
本実施形態においても、電極体規制領域５０Ｂにおける外装缶５０の厚さ方向の寸法ｔ７は、電極体１５の厚さｔｅよりも小さい。なお、寸法ｔ７は、より詳しくは第１部材５１の内表面と第２部材５２の内表面との間の距離、すなわち外装缶５０の内寸である。
【０１１１】
本実施形態においても、電極体規制領域５０Ｂによって、電極体１５の位置を規制することができる。
【０１１２】
［その他の実施形態］
以上、本発明についての実施形態を説明したが、本発明は上述の実施形態およびその変形例のみに限定されず、発明の範囲内で種々の変更が可能である。また、各実施形態およびその変形例は、適宜組み合わせて実施することが可能である。
【０１１３】
上述の実施形態およびその変形例では、外装缶に収納される電極体が、帯状の正極電極と負極電極とをセパレータを間に挟んで捲回した電極捲回体である場合を説明した。しかし、本実施形態の電極体は電極捲回体に限定されず、例えば、短冊状の正極電極と負極電極とをセパレータを間に挟んで積層した電極積層体であっても良い。
【０１１４】
上述の実施形態およびその変形例では、外装缶の極性が正極である場合を説明した。しかし、外装缶の極性は負極であっても良い。あるいは外装缶が、正極および負極の両方から絶縁されていても良い。外装缶が正極および負極の一方と導通している場合には、外装缶の極性と同じ極性の外部端子は、形成されなくても良い。
【０１１５】
上述の実施形態およびその変形例によって例示したように、本発明の一実施形態にかかる非水電解質二次電池は、正極電極および負極電極を含む電極体と、電極体を収容する外装缶とを備える。外装缶は、電極体の厚さ方向において電極体を挟んで対向して配置され、互いに接合される第１部材および第２部材を含む。外装缶は、電極体の厚さ方向における寸法が電極体の厚さよりも小さい部分を有する電極体規制領域を含む。
【０１１６】
上記の構成によれば、電極体規制領域によって、電極体の位置を規制することができる。また、薄型の電池において、第１部材または第２部材を高さ方向や幅方向に開口させる場合と比較して、深絞り加工が不要になるため、加工が容易になる。そのため、電池をより薄型化することができる。
【０１１７】
好ましくは、正極電極および負極電極の一方と電気的に接続され、電極体規制領域において第１部材の第２部材側と反対側の面に配置される第１端子をさらに備える。この構成によれば、非水電解質二次電池の厚さが薄い場合であっても、第１端子の面積を確保することができる。また、第１端子を電極体規制領域に形成することによって、非水電解質二次電池をコンパクトにすることができる。
【０１１８】
第１端子の極性は、外装缶の極性と反対極性であっても良い。
【０１１９】
好ましくは、第１端子が配置された部分の外装缶の厚さと、第１端子の外装缶から突出した部分の厚さとの和は、外装缶の最大の厚さ以下である。この構成によれば、第１端子が外装缶の最大厚みを有する部分から突出しない。そのため、電池をよりコンパクトにすることができる。また、第１端子と外装缶とが不意に短絡することを抑制できる。
【０１２０】
好ましくは、第１端子の周囲に配置される絶縁部材をさらに備える。この構成によれば、外装缶と第1端子とが不意に短絡するのを抑制することができる。
【０１２１】
正極電極および負極電極の他方と電気的に接続され、電極体規制領域において第１部材の第２部材側と反対側の面に配置される第２端子をさらに備えていても良い。この構成によれば、非水電解質二次電池の厚さが薄い場合であっても、第２端子の面積を確保することができる。また、第２端子を電極体規制領域に形成することによって、非水電解質二次電池をコンパクトにすることができる。
【０１２２】
好ましくは、電極体規制領域において第１部材の第２部材側と反対側の面に注液孔が形成され、第２端子は注液孔と重なる部分に配置される。この構成によれば、第２端子が注液孔の封止栓の機能を兼ねる。そのため、外装缶の他の箇所に設けた注液孔を封止栓によって封止する場合と比較して、工程および部品数を削減することができる。
【０１２３】
第１部材は、第１平面部と、第１平面部よりも第２部材側に配置され、第１平面部と平行な第２平面部とを含み、第２平面部は、電極体規制領域の外表面の一部である構成としても良い。
【０１２４】
第１部材は、第１平面部と、第１平面部に連続し、第２部材側に向かって傾斜する第２平面部とを含み、第２平面部は、電極体規制領域の外表面の一部である構成としても良い。
【０１２５】
好ましくは、第１部材は、第２部材側に向かって厚さ方向と垂直な寸法が大きくなる。この構成によれば、第１部材と第２部材との溶接個所を、電極体から遠ざけることができる。これによって、電極体への溶接時の熱の影響を低減することができる。
【０１２６】
非水電解質二次電池は、第１部材が第２部材側に開口した箱状の形状である構成としても良い。非水電解質二次電池は、あるいは、第２部材が第１部材側に開口した箱状の形状である構成としても良い。あるいは、第１部材および第２部材の両方が箱状の形状である構成としても良い。
【符号の説明】
【０１２７】
１，１Ａ〜１Ｌ，２，３，４，５  非水電解質二次電池、１０，２０，３０，４０，５０  外装缶、１０Ａ，４０Ａ，５０Ａ  電極体収容部、１０Ｂ、４０Ｂ，５０Ｂ  電極体規制部、１１  第１部材、１２  第２部材、１３  正極端子、１４  負極端子、１５  電極捲回体、１６  絶縁部材、１７  封止栓
【図１】
2015130317.tif 000003
【図２】
2015130317.tif 000004
【図３】
2015130317.tif 000005
【図４】
2015130317.tif 000006
【図５】
2015130317.tif 000007
【図６】
2015130317.tif 000008
【図７】
2015130317.tif 000009
【図８】
2015130317.tif 000010
【図９】
2015130317.tif 000011
【図１０】
2015130317.tif 000012
【図１１】
2015130317.tif 000013
【図１２】
2015130317.tif 000014
【図１３】
2015130317.tif 000015
【図１４】
2015130317.tif 000016
【図１５】
2015130317.tif 000017
【図１６】
2015130317.tif 000018
【図１７】
2015130317.tif 000019
【図１８】
2015130317.tif 000020
【図１９】
2015130317.tif 000021
【図２０】
2015130317.tif 000022
【図２１】
2015130317.tif 000023
【図２２】
2015130317.tif 000024
【図２３】
2015130317.tif 000025
【図２４】
2015130317.tif 000026
【図２５】
2015130317.tif 000027
【図２６】
2015130317.tif 000028
【図２７】
2015130317.tif 000029
【図２８】
2015130317.tif 000030
【図２９】
2015130317.tif 000031
【図３０】
2015130317.tif 000032